(57)【要約】      （修正有）【課題】粘着テープディスペンサのカッター刃保護装置を提供する。【解決手段】保護カバー２０を備えており、保護カバー２０の一端には粘着テープディスペンサ本体に枢接するためのヒンジ部がその一端に設けられており、ヒンジ部にはカッター刃１４の上面に対向して第一平面部２１２及び第二平面部２１３が設けられている。これにより、保護カバー２０を回転させることで、保護カバーは第一平面部又は第二平面部によりカッター刃の上面に固定して、カッター刃を覆うか又は露出させることができ、使用者が粘着テープディスペンサを使用していないときに誤ってカッター刃の刃先１４１に触れるということがなくなり、安全に保護する効果を達成する。【選択図】図４
0003203467.tif 000002
【実用新案登録請求の範囲】
【請求項１】
一端に切断部を有し前記切断部にカッター刃が設けられている粘着テープディスペンサに用いられるカッター刃保護装置であって、
前記粘着テープディスペンサの本体に設けられており、保護カバーを備え、
前記保護カバーは、一端にヒンジ部が設けられており、前記ヒンジ部により前記粘着テープディスペンサに回転可能に接続されており、前記ヒンジ部が、回転軸心を有しており、前記カッター刃の上面に対向する第一平面部及び第二平面部を有し、
前記保護カバーは、
前記第一平面部により前記カッター刃の上面に固定されている第一固定位置に位置する場合、前記カッター刃の刃先を覆い、
前記第二平面部により前記カッター刃の上面に固定されている第二固定位置に位置する場合、前記カッター刃の刃先を露出させることを特徴とする粘着テープディスペンサのカッター刃保護装置。
【請求項２】
前記ヒンジ部の前記回転軸心を円心とする円が定義されており、前記円がそれぞれ前記第一平面部及び前記第二平面部に接しており、
前記ヒンジ部は、前記第一平面部と前記第二平面部との中間に第一角部が設けられており、前記第一角部の頂点と前記回転軸心との距離が前記円の半径よりも大きくなるよう形成されていることを特徴とする請求項１に記載の粘着テープディスペンサのカッター刃保護装置。
【請求項３】
前記保護カバーの前記ヒンジ部は、前記第一平面部と前記第二平面部との中間に第三平面部が設けられており、前記第三平面部が前記円に接しており、
前記保護カバーは、前記第三平面部により前記カッター刃の上面に固定されている第三固定位置に位置する場合、前記カッター刃の半分を露出させることを特徴とする請求項２に記載の粘着テープディスペンサのカッター刃保護装置。
【請求項４】
前記ヒンジ部は、前記第一平面部と前記第三平面部との中間に前記第一角部が設けられており、前記第二平面部と前記第三平面部との中間に第二角部が設けられており、前記第一角部の頂点と前記回転軸心との距離及び前記第二角部の頂点と前記回転軸心との距離が前記円の半径よりも大きくなるよう形成されており、
前記ヒンジ部は、前記第二平面部の前記第二角部とは反対側の端部に第三角部が設けられており、前記第三角部の頂点と前記回転軸心との距離が前記円の半径よりも大きくなるよう形成されておりことを特徴とする請求項３に記載の粘着テープディスペンサのカッター刃保護装置。
【請求項５】
前記切断部は、前記カッター刃を覆うカバー体を有し、
前記カバー体は、少なくとも前記カッター刃の刃先を露出させ、切欠きが開設されており、前記切欠きの両側にヒンジ台がそれぞれ凸設されており、前記ヒンジ台にヒンジ孔が形成されており、
前記保護カバーは、一端にカバー部が設けられており、前記ヒンジ部において、前記ヒンジ孔に挿入可能なヒンジ軸が設けられており、前記ヒンジ軸が前記回転軸心を軸心としており、前記カバー部において、前記カッター刃の刃先を覆うことが可能である縦板が設けられており、前記縦板の外側につまみ部が凸設されていることを特徴とする請求項１に記載の粘着テープディスペンサのカッター刃保護装置。
【考案の詳細な説明】
【技術分野】
【０００１】
本考案は、粘着テープディスペンサに関し、特に粘着テープディスペンサのカッター刃保護装置に関する。
【背景技術】
【０００２】
従来の手持ち型粘着テープホルダは台座を備えており、台座はテープリールを取り付け可能な取り付けシャフトが凸設されており、しかも台座の一端にはのこぎり歯状をなすカッター刃が設けられている。手持ち型粘着テープホルダを使用する際には、使用者はただ台座を持つとともに、粘着テープをテープリールから引き出して、粘着テープを貼付したい物品上に貼り付けて、最後に手持ち型粘着テープホルダをある角度でずらすと、カッター刃は粘着テープを完全に切断することができる。その取り扱い方式は至って容易で簡便である上、物品貼付の利便性を向上することができる。
【考案の概要】
【考案が解決しようとする課題】
【０００３】
しかしながら、上記した手持ち型粘着テープホルダは確かに取り扱いが容易で簡便であるものの、本考案の考案者は粘着テープホルダを長年使用して研究・開発している中で、手持ち型粘着テープホルダにおけるカッター刃は台座から露出しており、手持ち型粘着テープホルダは未使用状態又は使用中において、ひいては使用者が手に取る時、その露出しているカッター刃により使用者が怪我をする恐れが常にあって、手持ち型粘着テープホルダの安全性を大幅に損なっているということを発見した。よって、上記した手持ち型粘着テープホルダには安全性が劣るという欠点があることから、これに鑑みて、本考案者は上記欠点を見出した後、粘着テープホルダにはなおも改善の必要性があると考えて、本考案を発案した。
本考案の主な目的は、粘着テープディスペンサのカッター刃保護装置を提供するところにある。
【課題を解決するための手段】
【０００４】
本考案による粘着テープディスペンサのカッター刃保護装置は、一端に切断部を有し切断部にカッター刃が設けられている粘着テープディスペンサに用いられるカッター刃保護装置であって、粘着テープディスペンサの本体に設けられており、保護カバーを備える。保護カバーは、一端にヒンジ部が設けられており、ヒンジ部により粘着テープディスペンサに回転可能に接続されており、ヒンジ部が、回転軸心を有しており、カッター刃の上面に対向する第一平面部及び第二平面部を有する。保護カバーは、第一平面部によりカッター刃の上面に固定されている第一固定位置に位置する場合、カッター刃の刃先を覆い、第二平面部によりカッター刃の上面に固定されている第二固定位置に位置する場合、カッター刃の刃先を露出させる。
【０００５】
本考案が提供する粘着テープディスペンサのカッター刃保護装置は、保護カバーを回転させるとともに第一固定位置に固定して、保護カバーは使用していないときにはカッター刃を完全に覆うことができ、使用者が誤ってカッター刃の刃先に触れるということがなくなり、安全に保護する効果を達成することで、粘着テープディスペンサの安全性を向上することができる。
【図面の簡単な説明】
【０００６】
【図１】本考案の一実施形態による粘着テープディスペンサのカッター刃保護装置の組立て状態を示す斜視図である。
【図２】本考案の一実施形態による粘着テープディスペンサのカッター刃保護装置の分解状態を示す斜視図である。
【図３】本考案の一実施形態による粘着テープディスペンサのカッター刃保護装置の保護カバーを示す側面図である。
【図４】本考案の一実施形態による粘着テープディスペンサのカッター刃保護装置の第一固定位置の使用状態の模式図である。
【図５】本考案の一実施形態による粘着テープディスペンサのカッター刃保護装置の第二固定位置の使用状態の模式図である。
【図６】本考案の一実施形態による粘着テープディスペンサのカッター刃保護装置の第三固定位置の使用状態の模式図である。
【考案を実施するための形態】
【０００７】
（一実施形態）
本考案の組立て斜視図、分解斜視図及び保護カバーの側面図である図１、図２及び図３を参照されたい。本考案では粘着テープディスペンサのカッター刃保護装置１００を開示しており、粘着テープディスペンサのカッター刃保護装置１００は粘着テープディスペンサ１０と、保護カバー２０とを備える。
【０００８】
粘着テープディスペンサ１０は、一端に切断部１１を有し、他端には把持部１２を有しており、把持部１２の下方は、テープリール２００を取り付けるための取付部１３を有しており、かつ切断部１１には刃先１４１がのこぎり歯状となるカッター刃１４が設けられており、また切断部１１にはカッター刃１４を覆うようにカバー体１５が更に設けられており、カバー体１５は少なくともカッター刃１４の刃先１４１を露出させている。また、カバー体１５には切欠き１５１が開設されており、しかもカバー体１５は切欠き１５１の両側にヒンジ台１５２がそれぞれ凸設されており、これらヒンジ台１５２にはヒンジ孔１５３がそれぞれ設けられている。
【０００９】
保護カバー２０は、粘着テープディスペンサ１０に枢接するためのヒンジ部２１がその一端に設けられているが、本考案の実施例において、ヒンジ部２１はヒンジ台を例としており、ヒンジ部２１は回転軸心２１１を有しており、ヒンジ部２１はカッター刃１４の上面に対向して第一平面部２１２及び第二平面部２１３が設けられている。またヒンジ部２１は回転軸心２１１を円心として円２１４を画定しており、円２１４はそれぞれ第一平面部２１２及び第二平面部２１３に接しており、かつ保護カバー２０のヒンジ部２１は更に第一平面部２１２と第二平面部２１３との中間に第三平面部２１５が設けられており、第三平面部２１５は円２１４に接している。またヒンジ部２１は第一平面部２１２と第三平面部２１５との中間に第一角部２１６が設けられており、ヒンジ部２１は第二平面部２１３と第三平面部２１５との中間に第二角部２１７が設けられ、かつ第一角部２１６及び第二角部２１７のそれぞれと回転軸心２１１との距離は円２１４の半径よりも大きい。本考案の実施例において、ヒンジ部２１は第二平面部２１３の第二角部２１７に対向する他端には第三角部２１８が更に設けられており、かつ第三角部２１８と回転軸心２１１との距離は円２１４の半径よりも大きい。また、保護カバー２０のヒンジ部２１はこれらヒンジ孔１５３に対してヒンジ軸２２がそれぞれ設けられており、かつこれらヒンジ軸２２は回転軸心２１１を軸心としている。そして保護カバー２０の他端にはカバー部２３が設けられており、カバー部２３はカッター刃１４の刃先１４１を覆うことができ、しかもカバー部２３はカッター刃１４の刃先１４１に対して縦板２３１が設けられ、かつ縦板２３１の外側にはつまみ部２３２が凸設されている。
【００１０】
引き続き、第一固定位置の使用状態の模式図、第二固定位置の使用状態の模式図及び第三固定位置の使用状態の模式図である図４ないし図６を参照されたい。これらでは、保護カバー２０がそれぞれ三つの固定位置にある態様を開示するとともに、第一固定位置Ａと、第二固定位置Ｂと、第三固定位置Ｃとを含む。
【００１１】
第一固定位置Ａは、保護カバー２０が第一平面部２１２によりカッター刃１４の上面に固定され、保護カバー２０はカッター刃１４の刃先１４１を覆うことができる。
【００１２】
第二固定位置Ｂは、保護カバー２０が第二平面部２１３によりカッター刃１４の上面に固定され、保護カバー２０はカッター刃１４の刃先１４１を露出させることができる。
【００１３】
第三固定位置Ｃは、保護カバー２０が第三平面部２１５によりカッター刃１４の上面に固定され、かつ保護カバー２０はカッター刃１４の半分を露出させることができる。
【００１４】
本考案の構造的な特徴、運用する技術手段及び達成が望まれる効果がより一層理解されるために、ここでは本考案は使用形態により記述し、これにより、本考案について、より深く且つ具体的に理解され得ると信じる。
【００１５】
まず本考案が第一固定位置にある使用状態の概略図である図４を合わせて参照されたい。使用者が粘着テープディスペンサ１０を使用していないとき、保護カバー２０は第一固定位置Ａに固定されている。このとき、第一平面部２１２はカッター刃１４の上面に固定されて、保護カバー２０がカッター刃１４の刃先１４１を覆う。そして使用者が粘着テープディスペンサ１０を使用したいときには、カバー部２３のつまみ部２３２により保護カバー２０を上に持ち上げることができるものであって、これらヒンジ軸２２はこれらヒンジ孔１５３に枢接されていることから、保護カバー２０が回転軸心２１１を周回するように回転して、第一角部２１６にまで回転すると、第一角部２１６はカッター刃１４に干渉する。このとき、カバー体１５がわずかに突出して、保護カバー２０は第三固定位置Ｃに固定されつつ、第三平面部２１５はカッター刃１４の上面に固定されて、保護カバー２０は回転して転向可能である。転向後には図５に示すように、保護カバー２０はカッター刃１４の半分を露出させて、続いて保護カバー２０を同一方向に回転させて、第二角部２１７にまで回転すると、第二角部２１７はカッター刃１４に干渉する。このとき、カバー体１５がわずかに突出して、保護カバー２０は回転して転向可能となる。転向後には図６に示すように、保護カバー２０は第二固定位置Ｂに固定されて、第二平面部２１３はカッター刃１４の上面に固定され、保護カバー２０はカッター刃１４の刃先１４１を露出させることで、保護カバー２０から繰り出された粘着テープを切断しやすくしている。
【００１６】
これにより、使用者が粘着テープディスペンサ１０を使用していないときには、保護カバー２０を第一固定位置Ａに固定して、保護カバー２０がカッター刃１４の刃先１４１を覆うことができ、使用者が誤ってカッター刃１４の刃先１４１に触れるということはなくなる。使用者が粘着テープディスペンサ１０を使用するときには、保護カバー２０は第二固定位置Ｂ又は第三固定位置Ｃに固定することで、カッター刃１４の刃先１４１を露出させることができ、本考案が安全に保護する効果を達成することができることから、粘着テープディスペンサ１０の安全性を向上することができる。
【００１７】
そして、第一角部２１６、第二角部２１７及び第三角部２１８のそれぞれと回転軸心２１１との距離は円２１４の半径よりも大きく、保護カバー２０は第一平面部２１２により第一角部２１６と協働して第一固定位置Ａに固定され、かつ保護カバー２０は第三平面部２１５により第一角部２１６及び第二角部２１７と協働して第三固定位置Ｃに固定され、最後に保護カバー２０は第二平面部２１３により第二角部２１７及び第三角部２１８が協働して第二固定位置Ｂに固定されることにより、保護カバー２０は回転時に三段階で固定するという効果をもたらすことができるということに言及しておきたい。
【００１８】
更には、保護カバー２０の一端にはカバー部２３が設けられており、カバー部２３はカッター刃１４の刃先１４１を覆うことができるうえ、カバー部２３はカッター刃１４の刃先１４１に対して縦板２３１が設けられ、かつ縦板２３１の外側にはつまみ部２３２が凸設されており、これにより、保護カバー２０が第一固定位置Ａにあるとき、縦板２３１と協働してカッター刃１４の刃先１４１を完全に覆うとともに、使用者が保護カバー２０を回転させると、つまみ部２３２によって、怪我を回避することができるということにも言及しておきたい。
【００１９】
本考案は実施例において、三つの固定平面及び三つの転向角を実施例としたが、固定平面及び転向角の数量のいずれかの変化も、本考案の実用新案登録請求の範囲内に含まれるのは当然である。
【符号の説明】
【００２０】
１０  粘着テープディスペンサ、
１１  切断部、
１２  把持部、
１３  取付部、
１４  カッター刃、
１４１  刃先、
１５  カバー体、
１５１  切欠き、
１５２  ヒンジ台、
１５３  ヒンジ孔、
２０  保護カバー、
２１  ヒンジ部、
２１１  回転軸心、
２１２  第一平面部、
２１３  第二平面部、
２１４  円、
２１５  第三平面部、
２１６  第一角部、
２１７  第二角部、
２１８  第三角部、
２２  ヒンジ軸、
２３  カバー部、
２３１  縦板、
２３２  つまみ部、
１００  粘着テープディスペンサ、
２００  テープリール、
Ａ  第一固定位置、
Ｂ  第二固定位置、
Ｃ  第三固定位置。
【図１】
0003203467.tif 000003
【図２】
0003203467.tif 000004
【図３】
0003203467.tif 000005
【図４】
0003203467.tif 000006
【図５】
0003203467.tif 000007
【図６】
0003203467.tif 000008